(57)【要約】【課題】  帯電防止効果を長期間維持することができ、また、修理・修復が可能でリサイクルすることができるランニングマシン用ベルトを提供する。【解決手段】  ランニングマシン用ベルト１は、ランニングマシン本体２１の駆動ローラ２２によって回転させられるベルトである。当該ベルト１は、無端状であり、人が載ることができる程度の幅に形成されている。ベルト１は、少なくとも１種類の繊維材料によって形成された芯帯３と、人が載る側となる芯帯３の表側表面３ａに設けられた軟質層１０と、前記駆動ローラ２２に当接する側となる芯帯３の裏側表面３ｂに設けられた黒鉛塗料層１１とからなる。【選択図】        図３
2008132222.tif 000002
【特許請求の範囲】
【請求項１】
下記の要件を備えたことを特徴とするランニングマシン用ベルト。
（イ）ランニングマシン本体の駆動ローラによって回転させられるランニングマシン用のベルトであって、当該ベルトは、無端状であり、人が載ることができる程度の幅に形成されていること。
（ロ）ベルトは、少なくとも１種類の繊維材料によって形成された芯帯と、人が載る側となる芯帯の表側表面に設けられた軟質層と、前記駆動ローラに当接する側となる芯帯の裏側表面に設けられた黒鉛塗料層とからなること。
【請求項２】
前記黒鉛塗料層は、黒鉛粉末と該黒鉛粉末を保持する熱可塑性樹脂とを少なくとも含むことを特徴とする請求項１に記載のランニングマシン用ベルト。
【発明の詳細な説明】
【技術分野】
【０００１】
本発明は、健康又は体力の強化のために歩行又はランニングを行うことができるランニングマシンに使用されるベルトに関するものである。
【背景技術】
【０００２】
従来、ランニングマシン用ベルトは、無端状に形成され、ランニングマシン本体の駆動ローラと従動ローラに巻掛けられ、人が載っても撓まないように、駆動ローラと従動ローラの間に設けられた支承部材にガイドされるようになっている（例えば、特許文献１）。この種のランニングマシン用ベルトは、ランニングマシンを駆動すると、これの裏側表面が支承部材及びローラに摺接し、静電気が帯電する可能性があった。特に、人がその上に載って歩行又はランニングを始めると、それに伴う体重移動により、ベルトの裏側表面が支承部材に圧接しながら摺接するので、静電気の発生が格段に多くなる。ランニングマシン用ベルトに静電気が帯電すると、ランニングマシンを制御する制御装置を誤動作若しくは破壊し、また接触した人に不快感を与えたりするので、ランニングマシン用ベルトには静電気の帯電防止策が施されている。従来のランニングマシン用ベルトは、静電気の帯電防止策として、裏側表面に導電性糸が設けられている（例えば、特許文献２）。
【特許文献１】特許第３０４０３４６号公報
【特許文献２】実用新案登録第２５６８３６９号公報
【発明の開示】
【発明が解決しようとする課題】
【０００３】
従来のランニングマシン用ベルトは、上記したように、人がその上に載って歩行又はランニングを始めると、ランニングマシン用ベルトに繰り返し負荷がかかり、導電性糸が切断して帯電防止効果を大きく損なうという問題点があった。また、導電性糸が切断した場合には、修理・修復が困難であるため、廃棄処分にせざるを得ないという問題点があった。
【０００４】
本願発明は、上記問題点に鑑み案出したものであって、帯電防止効果を長期間維持することができ、さらに、耐久性及び機能性に優れたランニングマシン用ベルトを提供することを目的とする。
【課題を解決するための手段】
【０００５】
本願請求項１に係るランニングマシン用ベルトは、上記目的を達成するため、下記の要件を備えたことを特徴とする。
（イ）ランニングマシン本体の駆動ローラによって回転させられるランニングマシン用のベルトであって、当該ベルトは、無端状であり、人が載ることができる程度の幅に形成されていること。
（ロ）ベルトは、少なくとも１種類の繊維材料によって形成された芯帯と、人が載る側となる芯帯の表側表面に設けられた軟質層と、前記駆動ローラに当接する側となる芯帯の裏側表面に設けられた黒鉛塗料層とからなること。
【０００６】
本願請求項２に係るランニングマシン用ベルトは、上記目的を達成するため、前記黒鉛塗料層は、黒鉛粉末と該黒鉛粉末を保持する熱可塑性樹脂とを少なくとも含むことを特徴とする。
【発明の効果】
【０００７】
本願発明に係るランニングマシン用ベルトは、芯帯の裏側表面に黒鉛塗料層が設けられ、当該黒鉛塗料層が、支承部材及びローラに摺接する。黒鉛塗料層は、導電性を備えているので、静電気の帯電防止に役立つという効果がある。また黒鉛塗料層は、従来のように、切断することがないので帯電防止効果を長期間維持することができるという効果がある。また、黒鉛塗料層は、摩擦抵抗が小さく滑りやすいので耐摩耗性に優れている。本願発明に係るランニングマシン用ベルトは、芯帯の裏側表面に設けられた上記効果を有する黒鉛塗料層が支承部材及びローラに摺接するので、耐久性及び機能性に優れ、長期間使用することができるという効果がある。
【０００８】
本願発明は、黒鉛粉末を強固に保持する熱可塑性樹脂が配合されていることにより、黒鉛塗料層を剥がれ難くすることができるので、単なる搬送用ベルトではなく、特にランニングマシンのように衝撃的な荷重が頻繁に加わる場合であっても、長期間の使用に耐え得るランニングマシン用ベルトを提供することができるという効果がある。
【発明を実施するための最良の形態】
【０００９】
本願発明に係るランニングマシン用ベルトの一つの実施の形態を図１乃至図３に基づいて説明する。図１は、本願発明に係るランニングマシン用ベルトを取り付けたランニングマシンの全体斜視図である。図２は、図１の要部断面側面図である。図３は、ランニングマシン用ベルトの要部断面図である。
【００１０】
ランニングマシン用ベルト１は、ランニングマシン本体２１の駆動ローラ２２によって回転させられるランニングマシン用のベルトである。当該ベルト１は、無端状であり、人が載ることができる程度の幅に形成されている。ベルト１は、少なくとも１種類の繊維材料によって形成された芯帯３と、人が載る側となる芯帯３の表側表面３ａに設けられた軟質層１０と、前記駆動ローラ２２に当接する側となる芯帯３の裏側表面３ｂに設けられた黒鉛塗料層１１とからなる。前記黒鉛塗料層１１は、黒鉛粉末と該黒鉛粉末を保持する熱可塑性樹脂とを少なくとも含んでいる。
【００１１】
さらに、ランニングマシン用ベルト１について詳細に説明する。ランニングマシン用ベルト１は、その上を人が歩いたり走ったりすることが出来る程度の幅でもって、無端状に形成されている。具体的には、ランニングマシン用ベルト１は、全長約３４００ｍｍ、幅約５３０ｍｍ、厚さ約３．５ｍｍ程度の大きさに形成されている。ランニングマシン用ベルト１は、ベルト本体２と、ベルト本体２の裏側表面３ｂに設けられた黒鉛塗料層１１とからなる。ベルト本体２は、芯帯３と、芯帯３の表側表面３ａに設けられた軟質層１０とからなる。
【００１２】
芯帯３は、積層された複数の繊維層、例えばポリエステル繊維層、ポリアミド繊維層等によって形成され、具体的には、白色のポリエステル繊維層５と、ポリエステル繊維層５の上面に接着剤６によって固定されたポリエステル繊維層７とからなる。なお、芯帯３は、一つの繊維層、例えばポリエステル繊維層５のみでも構わない。軟質層１０は、繊維層７（芯帯３）の上面（表面）３ａに接着剤９によって固定されている。本実施の形態では、軟質層１０は、黒色のポリ塩化ビニル（ＰＶＣ）層１０であるが、これに限定されるものではなく、ゴム層であっても構わない。
【００１３】
黒鉛塗料層１１は、ポリエステル繊維層５（芯帯３）の裏側表面３ｂに設けられている。黒鉛塗料層１１を形成する黒鉛塗料は、黒鉛粉末、熱可塑性樹脂、カーボンブラック（硬化剤）、ジオキソラン（希釈剤）を所定の配合割合で混合したものである。熱可塑性樹脂は、塩化ビニル、ポリエチレン、ポリプロピレン等であって、黒鉛粉末を強固に保持する役割を果たす。当該黒鉛塗料は、前記ポリエステル繊維層（芯帯３）５の裏側表面３ｂに、約０．４ｍｍ〜０．６ｍｍ程度の厚さで塗布し、所定時間、自然乾燥させることにより、黒鉛塗料層１１を形成する。なお、黒鉛塗料を塗布する手段は、シルク印刷、グラビア印刷、刷毛による直接塗り、吹きつけ等の一般的な手段でよく、特に限定されるものではない。乾燥時間は、約３〜６時間程度であるが、その時の温度、湿度等により変更され、特に限定されるものではない。黒鉛塗料層１１は、黒鉛塗料がポリエステル繊維の隙間に含侵して形成されるので、ポリエステル繊維層５（芯帯３）から容易に剥がれることはない。黒鉛塗料は、電気伝導性、潤滑性、熱伝導性、耐熱性、耐薬品性について優れている。
【００１４】
上記したランニングマシン用ベルト１は、従来のベルトのように、ランニングマシン本体２１に取り付けられる。ランニングマシン本体２１は、駆動ローラ２２と、従動ローラ２３と、駆動ローラ２２と従動ローラ２３間に配置された支承部材２５と、駆動ローラ２２をベルト２７を介して回転させる駆動モータ２６を有する。ランニングマシン用ベルト１は、ランニングマシン本体２１の駆動ローラ２２と従動ローラ２３に巻掛けられ、人が載っても撓まないように支承部材２５によってガイドされる。なお、ランニングマシン本体２１には、図示しないが、駆動モータ２６をＯＮ・ＯＦＦするスイッチと、駆動モータ２６の駆動時間及び回転速度を設定する操作盤が設けられている。
【００１５】
ランニングマシン本体２１は、スイッチをＯＮすると、駆動モータ２６が駆動し、ベルト２７を介して駆動ローラ２２が回転する。駆動ローラ２２が回転すると、ランニングマシン用ベルト１が回転する。ランニングマシン用ベルト１は、人が載ると、人の重みによって撓み、裏側表面１ａが支承部材２５に圧接し、さらに裏側表面１ａが支承部材２５に摺接する。また、ランニングマシン用ベルト１は、駆動ローラ２２に引っ張られることによって回転するが、人が載ると撓んで支承部材２５に圧接して負荷がかかり、裏側表面１ａが駆動ローラ２２上を滑ることがある。このように、ランニングマシン用ベルト１は、裏側表面１ａ、即ち黒鉛塗料層１１の表面１ａが支承部材２５及び駆動ローラ２２上を滑ることになる。この際、静電気が発生するが、前記したように黒鉛塗料層１１は電気伝導性を備えているので、静電気の帯電を防止することが出来る。又、黒鉛塗料層１１は、潤滑性を備えているので、接触する支承部材２５との摩擦抵抗が小さい。そのため、静電気の発生が少なく、さらに、ランニングマシン用ベルト１に掛かる負荷が小さいので、駆動モータ２６の負担を少なくすることができ、駆動モータ２６の寿命を大幅に向上することになる。
【００１６】
また、ランニングマシン用ベルト１には、人が乗ってランニングを行うと、人の体重が足の裏を介して局部的にしかも交互に頻繁に加わる。そのため、ランニングマシン用ベルト１の裏側表面１ａ、即ち黒鉛塗料層１１の表面１ａが支承部材２５に衝撃的に圧接する。また、ランニングマシン用ベルト１の裏側表面１ａ、即ち黒鉛塗料層１１の表面１ａは、圧接と同時に支承部材２５に摺接する。さらに、人の体重が交互に加わることで、ランニングマシン用ベルト１、即ち黒鉛塗料層１１の伸縮が激しく行われる。従って、ランニングマシン用ベルト１は、衝撃的な過重が頻繁に加わることのない通常の搬送用ベルトよりも過酷な条件下にあり、通常の塗料層では、簡単に剥げ落ちてしまうことになる。しかし、上記したように、ランニングマシン用ベルト１は、黒鉛塗料層１１内に、黒鉛粉末を強固に保持する熱可塑性樹脂が配合されているので、上記過酷な条件下においても黒鉛塗料層１１が剥がれ難くなっている。このようにランニングマシン用ベルト１は、帯電防止効果、潤滑性、耐久性に優れ、長期間使用することができる。
【００１７】
上記したように、ランニングマシン用ベルト１は、黒鉛粉末を強固に保持する熱可塑性樹脂が配合されていることにより、黒鉛塗料層を剥がれ難くすることができるので、単なる搬送用ベルトと異なり、特にランニングマシンのように衝撃的な荷重が頻繁に加わる場合であっても、長期間の使用に耐え得る構造となっている。
【００１８】
ランニングマシン用ベルト１は、芯帯３の裏側表面３ｂに黒鉛塗料層１１が設けられ、当該黒鉛塗料層１１の表面１ａが、支承部材２５及びローラ２２に摺接し、静電気を発生させるが、黒鉛塗料層１１が導電性を備えているので、静電気の帯電防止に役立つ。また黒鉛塗料層１１は、従来のように、切断することがないので帯電防止効果を長期間維持することができる。また、黒鉛塗料層１１は、摩擦抵抗が小さく滑りやすいので耐摩耗性に優れ長期間使用することができる。
【産業上の利用可能性】
【００１９】
本発明に係るランニングマシン用ベルトは、健康又は体力の強化のために歩行又はランニングを行うことができるランニングマシンに利用可能である。
【図面の簡単な説明】
【００２０】
【図１】本願発明に係るランニングマシン用ベルトを取り付けたランニングマシンの全体斜視図である。
【図２】図１の要部断面側面図である。
【図３】ランニングマシン用ベルトの要部断面図である。
【符号の説明】
【００２１】
１  ランニングマシン用ベルト
１ａ  裏側表面
２  ベルト本体
３  芯帯
３ａ  表側表面（上面）
３ｂ  裏側表面
５  ポリエステル繊維層
６  接着剤
７  繊維層
９  接着剤
１０  軟質層（ポリ塩化ビニル層）
１１  黒鉛塗料層
２１  ランニングマシン本体
２２  駆動ローラ
２３  従動ローラ
２５  支承部材
２６  駆動モータ
２７  ベルト
【図１】
2008132222.tif 000003
【図２】
2008132222.tif 000004
【図３】
2008132222.tif 000005